(57)【要約】      （修正有）【課題】ポチ袋を使用したい時期にわざわざ購入することなくしかも的確な時期に利用することができるようにしたポチ袋付きカレンダーを提供する。【解決手段】ポチ袋付カレンダー１は、１又は複数のポチ袋の型紙１０が配置された紙面４が所定のページに丁合されており、型紙には紙面から切り離すための切り込みが予め設けられている。また、カレンダーの複数の紙面を綴じ込むための綴じ部分へ丁合する際に型紙の一部が切り取られて折り曲げられたり又は型紙の全部が切り取られることを防止するために、少なくとも紙面を丁合する方向とほぼ直交する方向に穿設される切り込みは連続した小孔によるミシン目とされている。【選択図】図２
0003231562.tif 000002
【実用新案登録請求の範囲】
【請求項１】
１又は複数のポチ袋の型紙が配置された紙面が所定のページに丁合されているポチ袋付カレンダーにおいて、
前記型紙には当該紙面から切り離すための切り込みが予め設けられていることを特徴とするポチ袋付カレンダー。
【請求項２】
請求項１に記載のポチ袋付きカレンダーにおいて、
カレンダーの複数の紙面を綴じ込むための綴じ部分へ丁合する際に前記型紙の一部が切り取られて折り曲げられたり又は前記型紙の全部が切り取られることを防止するために、少なくとも当該紙面を丁合する方向とほぼ直交する方向に穿設される切り込みは連続した小孔によるミシン目とされていることを特徴とするポチ袋付カレンダー。
【請求項３】
請求項１又は２に記載のポチ袋付きカレンダーにおいて、
前記型紙には、所定の絵柄、干支、年号、文字の少なくともいずれかによりその年の記念となるものが表示されていることを特徴とするポチ袋付カレンダー。
【考案の詳細な説明】
【技術分野】
【０００１】
本考案は、ポチ袋付カレンダーに関し、さらに詳しくは、カレンダーに予め印刷されたポチ袋の型紙を切り取って使用するポチ袋付カレンダーに関するものである。
【背景技術】
【０００２】
カレンダーは、当該年度の日付や曜日などを表形式で表示したものであり、壁掛け式のものや卓上のものなど各種のものが種々提供されている。一般的なカレンダーは、日付や曜日が表示された日付部を備えており、その他にも、写真や絵柄が表示されたデザイン部を備えたものなどがある。
【０００３】
このようなカレンダーの中には、カレンダーに表示された写真や絵柄をグリーティングカードや絵葉書として利用可能としたものも提供されている（例えば特許文献１，２）。また、その他としては、カレンダーに熨斗袋をそのまま丁合したものも提供されている（特許文献３）。
【先行技術文献】
【特許文献】
【０００４】
【特許文献１】実開平６−１７９５６号公報
【特許文献２】実用新案登録第３１７４７５８号公報
【特許文献３】実開昭５８−１２３０６１号公報
【考案の概要】
【考案が解決しようとする課題】
【０００５】
カレンダーは、通常は年末に用意するものであり、使用者が自分自身で用意して使用するものの他、企業や取引先から提供を受けるものもある。また、カレンダーは、当該年の１月からページが始まるものであり、特に１月１日はお正月で、お年玉をポチ袋に入れて渡す習慣があるが、予めカレンダーに印刷又は切り取り可能な状態で納められていれば、年末の忙しい時期にポチ袋を準備する手間が省けると共に、準備を忘れていたような場合には非常に重宝することとなる。
【０００６】
この場合、単に、ポチ袋を展開した状態で収録しておき、ハサミやカッターなどで切り取るものであってもよいが、切り取り作業が行い易いように、予め輪郭線に沿って切り込みを設けておくことが使用者にとって好ましい。また、紙面に予め切り込みを設けた場合には、ポチ袋の型紙を設けた紙面を他のカレンダーの複数の紙面と丁合する作業中にポチ袋の型紙の一部が摩擦などによって切り込みから勝手に切り取られて剥がれてしまい、さらに剥がれた部分が正常でない状態に折り曲げられて不要な折り目が形成されてしまう場合や、型紙の全部が紙面から切り取られてしまうという問題がある。尚、特許文献３は、熨斗袋自体がカレンダーと同じ大きさとされたものであって、紙面から熨斗袋の輪郭線から切り取るというものではない。
【０００７】
そこで、本考案は、かかる問題点に鑑みなされたもので、ポチ袋を予めカレンダーに印刷しておくことでポチ袋を使用したい時期にわざわざ購入することなくしかも的確な時期に利用することができるようにしたポチ袋付きカレンダーを提供することを目的とする。
【０００８】
また、本考案は、ポチ袋の型紙の輪郭線に予め切り込みを設けた場合であっても紙面を丁合する作業中に型紙の一部が剥がれたり、型紙の全部が切り取られてしまうことを防止することが可能なポチ袋付きカレンダーを提供することを目的とする。
【課題を解決するための手段】
【０００９】
上記課題を解決するために請求項１に記載の本考案は、１又は複数のポチ袋の型紙が配置された紙面が所定のページに丁合されているポチ袋付カレンダーにおいて、前記型紙には当該紙面から切り離すための切り込みが予め設けられていることを特徴とする。
【００１０】
上記課題を解決するために請求項２に記載の本考案は、請求項１に記載のポチ袋付きカレンダーにおいて、カレンダーの複数の紙面を綴じ込むための綴じ部分へ丁合する際に前記型紙の一部が切り取られて折り曲げられたり又は前記型紙の全部が切り取られることを防止するために、少なくとも当該紙面を丁合する方向とほぼ直交する方向に穿設される切り込みは連続した小孔によるミシン目とされていることを特徴とする。
【００１１】
上記課題を解決するために請求項３に記載の本考案は、請求項１又は２に記載のポチ袋付きカレンダーにおいて、前記型紙には、所定の絵柄、干支、年号、文字の少なくともいずれかによりその年の記念となるものが表示されていることを特徴とする。
【考案の効果】
【００１２】
本考案に係るポチ袋付きカレンダーによれば、ポチ袋を予めカレンダーに印刷しておくことでポチ袋を使用したい時期にわざわざ購入することなくしかも的確な時期に利用することができるという効果がある。
【００１３】
また、本考案に係るポチ袋付きカレンダーによれば、カレンダーの紙面を丁合する作業中に型紙の一部が剥がれたり、型紙の全部が切り取られてしまうことが防止でき、不良のカレンダーが製造されることを防止することができるという効果がある。
【００１４】
さらに、カレンダーは、使用者が気に入ったものを購入して使用することはもちろんであるが、企業や取引先から提供されるものも多い。そのため、使い勝手がよく、しかも、独自の特徴のあるカレンダーの提供を受けた者はそのカレンダーの提供者について深く印象に残るという効果がある。そのため、そのようなカレンダーは広告・宣伝用のカレンダーとして有効に利用することができるという効果がある。
【図面の簡単な説明】
【００１５】
【図１】図１は、本考案に係るポチ袋付きカレンダーの一実施形態の平面図である。
【図２】図２は、ポチ袋の型紙が配置された紙面の一実施形態の平面図である。
【図３】図３は、ポチ袋の一実施形態の型紙の形状を示す平面図である。
【考案を実施するための形態】
【００１６】
本考案に係るポチ袋付きカレンダーの好ましい一実施形態について、図面を参照しつつ以下詳細に説明する。図１は本考案に係るポチ袋付きカレンダーの一実施形態の平面図、図２はポチ袋の型紙が配置された紙面の一実施形態の平面図である。
【００１７】
［カレンダーについて］
図示されたカレンダー１は、一般的なＡ２サイズの壁掛けカレンダーであり、下部側に、曜日と日付が１週間ごとに配置された日付部２と、上部側に写真やイラストが描かれたデザイン部３が配置されている。図示されたカレンダー１は、1ヶ月につき１枚のカレンダーとされているので、全部で１月から１２月まで全部で１２枚のカレンダーが丁合されている。カレンダー１の上部は厚紙と接着剤で製本されたホットメルトの綴じ部５となっており、綴じ部５の幅方向の中央部にはフックなどの図示しない掛止具に掛止して壁面に配置するための掛止孔６が穿設されている。
【００１８】
尚、カレンダー１の紙面のデザインはこれに限るものではなく、全面にデザインが描かれ、デザインの中に日付部２が配置されたものや、日付部２が１ヶ月単位ではなく、２ヶ月分を表示することにより６枚分の紙面としたものであってもよい。また、綴じ部５もリングタイプなど、適宜の仕様としたものであっても良い。
【００１９】
本実施形態のカレンダー１は、表紙の次のページ（２ページ目）に、図２に示すような複数のポチ袋の型紙が配置された紙面である型紙面４が丁合されている。図示された型紙面４は、ポチ袋を展開した状態の型紙１０が２列に配置されており、左側の列には型紙１０が縦に３つ配置され、右側の列には型紙１０が２つ配置されている。そして、右側の列の最下段には、ポチ袋の折り方を説明する説明部２０となっている。ポチ袋の折り方は複雑なものではないので必ずしも説明部２０を設ける必要はなく、その場合には、左側の列のように、型紙１０を３つ配列してもよい。
【００２０】
本実施形態のカレンダー１は、上述のように、表紙の次に型紙面４が丁合されており、型紙面４の次の紙面が図１に示すような１月の紙面となっている。これは、お正月のお年玉のために利用できるようにしたためである。しかしながら、型紙面４をどこのページに配置するかは限定されるものではなく、適宜のページに配置することができる。また、本実施形態では、型紙１０を１枚の紙面に複数枚を設けているが、これに限らず、例えば、型紙１０を１〜１２月の各紙面のそれぞれに１又は複数配置してもよい。また、サイズもＡ２に限るものではなく、適宜のサイズのものであってもよい。
【００２１】
［ポチ袋の型紙について］
次に、ポチ袋の型紙１０について説明する。図３はポチ袋の一実施形態の型紙の形状を示す平面図である。図示されるように、型紙１０はポチ袋を展開した形状を描いたものである。外側の輪郭線（枠線）に沿ってハサミやカッターなどで紙面から切り取り、折り畳むことによりポチ袋が完成する。切り取り部分の輪郭線に、例えば「キリトリ線」の文字やハサミの図形を描く事でそこから切り取り取ることを示すこともできるが、切り取り部分の輪郭線に予め切り込みやミシン目を設けておくことでハサミやカッターなどを使用しなくても簡単に切り取ることができる。
【００２２】
切り込みを設ける場合、ビク抜きにより縦長の切り込みを設けることもできるが、この場合、型紙面４を丁合する方向とほぼ直交する方向にこのような切り込みが穿設されると、作業中に型紙１０の一部が剥がれてしまい、剥がれた部分が摩擦などによって正常でない状態に折り曲げられて不要な折り目が形成されてしまう場合や、型紙１０の全部が切り取られてしまう可能性がある。そのため、カレンダー１の紙面を綴じ部５へ丁合する際に、少なくとも型紙面４を丁合する方向（図３におけるＸ方向）とほぼ直交する方向（図３におけるＹ方向）に穿設される切り込み１１（図３参照）は、連続した小孔によるミシン目とすることが好ましい。この場合、Ｘ方向とほぼ平行な方向に設けられる切り込み１２は縦長の切り込みであっても折れや剥がれの影響は少ないので縦長の切り込みとしても良いが、もちろん、全ての切り込み１１，１２を連続した小孔によるミシン目としてもよい。
【００２３】
図３に示す型紙１０は、ポチ袋の縦方向がＸ方向と平行となるような位置で型紙面４に配置されているが、ポチ袋の幅方向がＸ方向と平行となるような位置で型紙面４に配置してもよく、この場合には、図３における切り込み１２を少なくとも連続した小孔によるミシン目とすることになるのは言うまでもない。
【００２４】
尚、図示された型紙１０には、名前などを記載する記載欄１５が右側の折片に設けられ、また、糊付けするためののりしろ１７が左側の折片の左側縁部及び下側の折片の裏側に設けられている。もちろん、これら以外にも適宜のデザインや絵柄を描くことができると共に、文字、年号、干支などを含む適宜の表記を行うことでポチ袋が記念となるようなものとすることができる。また、カレンダーの説明部２０などの所定の箇所に予め接着剤としての両面テープを配置しておいてもよい。また、本実施形態の型紙１０は縦長のポチ袋であるが、横長であってもよく、ポチ袋の型紙１０の形状は特に限定されるものではない。
【００２５】
［使用方法について］
本考案に係るカレンダー１の使用方法について説明する。はじめに、カレンダー１の所定のページに丁合された型紙面４から所定のポチ袋の型紙１０を切り取る（ステップＳ１）。型紙１０の切り取りは、輪郭線に沿って予め切り込みやミシン目が設けられているのでハサミ又はカッターなどの切断器具を使用することなく手で切り取ることができる。次いで、切り取った型紙１０を折り線１４，１４に沿って山折りする（ステップＳ２）。そして、左側の折片ののりしろ１７の表面に糊などの接着剤を塗布するか或いは両面テープを貼り付けて型紙１０を筒状に接着する（ステップＳ３）。最後に、底の部分の裏面ののりしろ１７を折り返して同様に接着することによりポチ袋が完成する（ステップＳ４）。
【００２６】
カレンダーは、使用者が気に入ったものを購入して使用することはもちろんであるが、企業や取引先から提供されるものも多い。そのため、使い勝手がよく、しかも、独自の特徴のあるカレンダーをもらった者はそのカレンダーの提供者について深く印象に残るという効果がある。そのため、カレンダー１は広告・宣伝用のカレンダーとして使用するとよい。
【００２７】
［他の実施形態について］
ポチ袋の型紙１０として上述した図３に示した実施形態では、切り抜いた型型紙１０を折り畳んでのりしろ１７部分を糊などの接着剤や両面テープなどで接着することにより完成させるものである。その他として、型紙１０を折り畳んで接着する部分を差し込み式や噛み合わせ式のジョイントとすることで糊や両面テープを用いることなくポチ袋の形を保持するようにすることもできる。この場合、返しやフックを設けることで抜け止め防止を図ることが好ましい。
【００２８】
以上のように、本考案に係るポチ袋付きカレンダーの好ましい実施形態について説明したが、これに限定されるものではなく本考案の技術思想を逸脱あるいは変更しない範囲内で種々の変形が可能である。
【符号の説明】
【００２９】
１      カレンダー
２      日付部
３      デザイン部
４      型紙面
５      綴じ部
６      掛止孔
１０      型紙
１１      切り込み
１２      切り込み
１４      折り線
１５      記載欄
１７      のりしろ
２０      説明部
【図１】
0003231562.tif 000003
【図２】
0003231562.tif 000004
【図３】
0003231562.tif 000005